(57)【要約】【課題】振動を伴って駆動される駆動部を該駆動部と係合することにより支持する支持部を備えた電子機器において，上記駆動部動作時における振動により生じるガタツキを軽減すること，及びこれにより騒音や振動を低減することができ，配線のために専用の部材を設けずに安価に線材を固定することのできる配線の固定構造を提供することにある。【解決手段】電子機器内に配線される線材を固定するための配線の固定構造であって，上記電子機器に，振動を伴って駆動される駆動部及び該駆動部と係合することにより該駆動部を支持する支持部が設けられてなり，上記線材が，上記駆動部と上記支持部との間に形成された間隙に挟み込まれることにより固定されることを特徴とする配線の固定構造として構成されている。【選択図】図３
2007193078.tif 000002
【特許請求の範囲】
【請求項１】
電子機器内に配線される線材を固定するための配線の固定構造であって，
上記電子機器に，振動を伴って駆動される駆動部及び該駆動部と係合することにより該駆動部を支持する支持部が設けられてなり，
上記線材が，上記駆動部と上記支持部との間に形成された間隙に挟み込まれることにより固定されることを特徴とする配線の固定構造。
【請求項２】
上記駆動部及び上記支持部には組み付け状態において互いに対向する平坦状の面が設けられてなり，上記線材が上記平坦状の面間に挟み込まれることにより，固定されてなる請求項１に記載の配線の固定構造。
【請求項３】
上記駆動部が，所定のモータによって回転駆動されるファンである請求項１又は２のいずれかに記載の配線の固定構造。
【請求項４】
請求項１〜３のいずれかに記載の配線の固定構造を備えた画像形成装置。
【発明の詳細な説明】
【技術分野】
【０００１】
本発明は，電子機器内に配線される線材を固定するための配線の固定構造及びそれを備えた画像形成装置に関し，特に，専用部材を設けることなく線材を固定することのできる配線の固定構造及びそれを備えた画像形成装置に関するものである。
【背景技術】
【０００２】
従来，電子機器内に配線される線材を適切な位置に固定するための構造としては，専用の部材を新たに設けることによって線材を固定するものが一般的であった。
特許文献１に記載の画像形成装置は，排気ファンを取り付けたダクトに半円筒状の専用ダクトが設けられている。この専用ダクトは，その上に線材を載置することによって，上記専用ダクト上に載置された線材が滑り落ちないような構造になっている。
【特許文献１】特開２００３−１６２１８９号公報
【発明の開示】
【発明が解決しようとする課題】
【０００３】
しかしながら，特許文献１に記載の画像形成装置は，配線のために専用の部材を新たに設けるので，コストがかかるという問題があった。
一方，画像形成装置などの電子機器には，ファンなどの振動を伴って駆動される駆動部が通常設けられる。このような駆動部の固定構造としては，ネジ止めでの固定ではなく，上記駆動部を支持する支持部に係合されるだけで固定される場合がある。しかし，上記のような係合のみによる固定の場合，上記駆動部と上記支持部の係合部の寸法公差により，上記駆動部動作時における振動によってガタツキが生じる，またそれにより騒音や振動が生じるという問題があった。
従って，本発明は上記事情に鑑みてなされたものであり，その目的とするところは，振動を伴って駆動される駆動部を該駆動部と係合することにより支持する支持部を備えた電子機器において，上記駆動部動作時における振動により生じるガタツキを軽減すること，及びこれにより騒音や振動を低減することができ，配線のために専用の部材を設けずに安価に線材を固定することのできる配線の固定構造を提供することにある。
【課題を解決するための手段】
【０００４】
上記目的を達成するために本発明は，電子機器内に配線される線材を固定するための配線の固定構造であって，上記電子機器に，振動を伴って駆動される駆動部及び該駆動部と係合することにより該駆動部を支持する支持部が設けられてなり，上記線材が，上記駆動部と上記支持部との間に形成された間隙に挟み込まれることにより固定されることを特徴とする配線の固定構造として構成されている。
一般的な線材の一例としては，例えばすずや軟銅などの芯材と，例えば塩化ビニルやポリエチレンなどの弾性を備えた部材であり上記芯材を覆う被覆部とを備えて構成されている。
従って，このように構成された上記配線の固定構造では，上記線材が上記駆動部と上記支持部との間に形成された間隙に挟み込まれることにより，上記駆動部と上記線材とが当接し，線材の被覆部の弾性機能により駆動部が弾性的に支持される。この弾性機能によって上記駆動部の振動の伝達が抑制される。また，上記電子機器内に設けられた駆動部と支持部の間のガタも，上記弾性体である線材が充填されることで解消される。
また，上記駆動部及び上記支持部には組み付け状態において互いに対向する平坦状の面が設けられてなり，上記線材が上記平坦状の面間に挟み込まれることにより，固定されることがのぞましい。
上記線材が上記平坦状の面間に挟み込まれることは，線材が線と線との間，点と点との間，或いは角部に挟み込まれる場合に比べて，上記線材にかかる圧力が分散されることになるので，上記線材が変形，破損する可能性が低いからである。
一方，上記駆動部が，所定のモータによって回転駆動されるファンであることが考えられる。
上記配線の固定構造は，ファンが備えられているパソコンなどの電子機器や，画像形成装置などにも適用可能である。
【発明の効果】
【０００５】
電子機器に振動を伴って駆動される駆動部が設けられる場合に，該駆動部が，これと係合することにより支持する支持部によって支持される場合がある。本発明は，このような場合に，上記駆動部動作時における振動により生じるガタツキを軽減すること，及びこれにより騒音や振動を低減することができ，配線のために専用の部材を設けずに安価に線材を固定することのできる配線の固定構造を提供することができる。
【発明を実施するための最良の形態】
【０００６】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る配線の固定構造が採用された画像形成装置Ｘの斜視図，図２は本発明の実施の形態に係る配線の固定構造が採用された画像形成装置Ｘの断面図，図３は本発明の実施の形態に係る配線の固定構造が採用された画像形成装置Ｘの本体側面の配線前後の断面図，図４は配線後の係合されたダクト２０とファンケース１０との斜視図，図５は本発明の実施の形態に係る配線の固定構造が採用された画像形成装置Ｘのダクト２０の斜視図である。
なお，図１及び図３（ｂ）は，説明のため，ファン羽根部１４Ｂは省略している。
【０００７】
まず，図１，図２，図３を用いて，本発明の実施の形態に係る配線の固定構造が採用された画像形成装置Ｘの概略構成について簡単に説明する。
図２に示すように，画像形成装置Ｘは，大別して，給紙部Ｋ，画像形成部Ｇ，定着部Ｔが設けられている。
さらに，図３に示すように，上記画像形成部Ｇに備えられている後記の現像部Ｚ近傍で，当該画像形成装置Ｘ本体側面には，上記現像部Ｚ近傍の温度を冷却するためのファン１４を収容したファンケース１０と，上記ファンケース１０と係合することにより上記ファンケース１０を支持するダクト２０と，上記給紙部Ｋや上記画像形成部Ｇを統括的に制御する制御部である制御基板１と，後記のソレノイド３やクラッチＣ１，Ｃ３，Ｃ４やモータなどを電気的に接続する線材Ｓ（Ｓ１，Ｓ２，Ｓ３，Ｓ４）と，これらの構成要素が入った箱状の構造物である筐体２とが備えられている。上記ファンケース１０及びダクト２０については，後ほど詳しく説明する。
【０００８】
上記線材Ｓは，例えばすずや軟銅などの芯材と，例えば塩化ビニルやポリエチレンなどの弾性を備えた部材であり上記芯材を覆う被覆部とを備えて構成されている。上記線材Ｓは，自在に曲げることができる。
また，画像形成装置Ｘの本体上面には，不図示の操作入力部が設けられている。上記操作入力部は，利用者によって操作される情報入力手段であり，操作ボタンや，液晶タッチパネル等により構成されている。
【０００９】
図２に示すように，上記給紙部Ｋは，上記画像形成装置Ｘの本体の下方に，予め定められた大きさの複数の記録紙を収納する給紙カセット３０と，該給紙カセットに収納された記録紙の給紙を行う給紙ローラ３２と，該給紙ローラ３２により給紙された記録紙を分離する分離ローラ３３（分離ローラ３３−１，３３−２）と，上記給紙ローラ３２及び上記分離ローラ３３を回転させるモータのクラッチＣ１（不図示）と，該給紙カセット３０の上方にあり不定型の記録紙を給紙する手差しトレイ３１と，該手差しトレイ３１に載置された記録紙の給紙を行う手差し用給紙ローラ３４と，該手差し用給紙ローラ３４を回転させるモータ（後記の給紙モータ４６）のクラッチであるソレノイド３（図３参照）と，上記分離ローラ３３や上記手差し用給紙ローラ３４により搬送された記録紙を搬送する中間搬送ローラ３５と，該中間搬送ローラ３５を回転させるモータ（後記の給紙モータ４６）のクラッチＣ３（不図示）と，レジストローラ３６（レジストローラ３６−１，３６−２）と，該レジストローラ３６を回転させるモータ（後記の給紙モータ４６）のクラッチＣ４（不図示）と，上記各ローラを回転駆動させる給紙モータ４６（図１参照）とにより構成されている。
上記レジストローラ３６は，後記の感光体ドラム３７の表面に形成されたトナー画像の先端部（画像形成開始部）と記録紙の先端部とが同期するように記録紙を搬送するローラである。
【００１０】
上記画像形成部Ｇは，静電潜像を担持する感光体ドラム３７と，該感光体ドラム３７の表面を一様に帯電させる帯電部と，上記感光体ドラム３７上にレーザービームを照射して静電潜像を形成するレーザースキャナユニット３８と，上記静電潜像に現像剤に含まれるトナーを付着させてトナー像を上記感光体ドラム３７の表面に形成する現像部Ｚと，転写後の上記感光体ドラム３７をクリーニングするクリーニング部と，転写後の上記感光体ドラム３７に残留する電位を除去する除電部と，上記感光体ドラム３７や上記現像部Ｚに備えられている後記の現像ローラ３９や供給ローラ４０や撹拌ローラ４１を回転駆動させるドラムモータ４５（図１参照）とを備えて構成されている。
【００１１】
上記現像部Ｚは，現像剤を表面に担持する現像ローラ３９と，現像剤を撹拌し上記現像ローラ３９に現像剤を供給する供給ローラ４０と，現像剤を撹拌し上記供給ローラ４０に現像剤を供給する撹拌ローラ４１と，現像剤を補給する入口である現像剤補給口４２と，現像剤を収容する現像剤収容部４３と，該現像剤収容部４４に収容されたトナーを上記現像剤補給口に搬送する搬送ローラ４４とを備えて構成されている。
【００１２】
続いて，上記画像形成装置Ｘで実行される画像形成処理について簡単に説明する。
利用者により上記画像形成装置Ｘに通信可能に接続されているパーソナルコンピュータなどの情報処理装置から画像の出力操作がなされると，上記給紙カセット３０に収納されている記録紙が，上記給紙ローラ３２により給紙され，上記分離ローラ３３により１枚ずつ分離される。上記分離ローラ３３により分離された記録紙は，上記中間搬送ローラ３５により上記レジストローラ３６まで搬送される。上記中間搬送ローラ３５により搬送された記録紙は，更に，上記レジストローラ３６により画像形成開始位置まで搬送される。
一方，不定型の記録紙などに画像形成を行う場合には，手差しトレイ３１による給紙が行われる。利用者により上記操作入力部から所定の入力操作がなされると，手差し給紙トレイ３１に載置されている記録紙が，上記手差し用給紙ローラ３４により給紙され，上記中間搬送ローラ３５により上記レジストローラ３６まで搬送される。上記中間搬送ローラ３５により搬送された記録紙は，更に，上記レジストローラ３６により画像形成開始位置まで搬送される。
【００１３】
利用者により，上記情報処理装置に画像の出力操作がなされると，上記情報処理装置から上記画像形成装置Ｘに画像情報信号（ディジタル画像データ）が送信される。送信された画像情報信号は，上記画像形成装置Ｘにおいて所定の画像処理がなされてレーザスキャナユニット３８に入力される。その後，このレーザスキャナユニット３８から画像処理後の画像データに従ったレーザビームが感光体ドラム３７表面に出射される。
上記現像部Ｚで上記搬送ローラ４４によって上記現像剤補給口４２を通して上記現像剤収容部４３から搬送されたトナーは，上記撹拌ローラ４１が上記ドラムモータ４５によって回転駆動されることにより，上記供給ローラ４０に供給される。上記供給ローラ４０は，上記ドラムモータ４５によって回転駆動されることにより，上記現像ローラ３９にトナーを供給する。
続いて，上記現像ローラ３９がドラムモータ４５により回転され，該現像ローラ３９表面に形成されたトナーの薄層が上記感光体ドラム３７表面に接触する。上記感光体ドラム３７は，上記現像ローラ３９が回転するのと同期して上記ドラムモータ４５により回転される。これにより，上記感光体ドラム３７表面上の静電潜像に帯電したトナーが付着されて，トナー画像が形成される。上記感光体ドラム３７は上記ドラムモータ４５により引き続き回転され，上記トナー画像は上記感光体ドラム３７に圧接される転写ローラにより上記レジストローラ３６により搬送された記録紙に転写される。上記転写ローラよりも上記感光体ドラム３７の回転方向下流側には，クリーニング部が配置されており，上記感光体ドラム３７の表面上に残留したトナーや他の付着物が除去される。上記クリーニング部よりも上記感光体ドラム３７の回転方向下流側には，除電部が設けられており，上記感光体１１に残留する電位が除去される。上記記録紙に転写されたトナー像は，上記定着部Ｔの定着ローラにより熱を加えられ，記録紙に定着する。
【００１４】
次に，上記ファンケース１０と上記ダクト２０について詳しく説明する。
上記ファンケース１０は，図４に示すように，四角形状のファンケース底部１１と，上記ファンケース底部１１と同じ大きさの四角形であり，円状の開口部が形成されたフランジ部１２と，上記ファンケース底部１１とフランジ部１２とをつなぐファンケース側面部１３（ファンケース側面部１３Ａ，１３Ｂ，１３Ｃ，１３Ｄ）と，ファン１４（ファン軸部１４Ａ，ファン羽根部１４Ｂ）とを備えて構成されている。上記ファン１４は，トナーの撹拌などにより発生した熱により上昇した上記現像部Ｚ近傍の温度を冷却させるための送風器である。上記ファン１４は，ファン軸部１４Ａとファン羽根部１４Ｂとが一体となり，略扇形の羽根状のファン羽根部１４Ｂが上記ファン軸部１４Ａの周りに設けられている。上記ファン軸部１４Ａが不図示のモータにより回転駆動される。上記ファン軸部１４Ａが不図示のモータにより回転駆動されると，上記ファン軸部１４Ａと一体となっているファン羽根部１４Ｂも回転駆動され，上記現像部Ｚに送風される。このようなファン１４は，振動を伴って駆動される駆動部の一例である。
上記ファンケース底部１１には，上記ダクト２０と係合するための係止孔１５（係止孔１５Ａ１，１５Ａ２）が形成されている。
上記ファンケース側面部１３は，図４に示すように，ファンケース側面部１３Ａ，１３Ｂ，１３Ｃ，１３Ｄ（図４では後記のダクト側面部２３Ｄにより見えない）からなる。
【００１５】
上記ダクト２０は，図５に示す如く，上記ファンケース１０の上記ファンケース底部１１を支持するダクト底部２１と，ダクト側面部２３とを備えて構成されている。このようなダクト２０は，支持部の一例である。
上記ダクト側面部２３は，図５において，上記ダクト側面部２３の中で１番面積の大きいダクト側面部２３Ｄ，上記ダクト側面部２３Ｄの時計方向隣の面のダクト側面部２３Ｃ，上記ダクト側面部２３Ｄと平行なダクト側面部２３Ｂ２，２３Ｂ１からなる。上記ファンケース１０と，上記ダクト２０とが図４に示すように係合され，上記筐体２に組み付けられると，上記ファンケース側面部１３Ｂの平坦状の面と上記ダクト側面部２３Ｂ１及び２３Ｂ２の平坦状の面とが対向する。また，上記ファンケース側面部１３Ｃの平坦状の面と上記ダクト側面部２３Ｃの平坦状の面とが対向する。さらに，上記ファンケース側面部１３Ｄの平坦状の面と上記ダクト側面部２３Ｄの平坦状の面とが対向する。
上記ダクト底部２１には，上記ファンケース底部１１に形成された係止孔１５と係合する係止突起２５（係止突起２５Ａ１，２５Ａ２）が形成されている。上記係止孔１５Ａ１と上記係止突起２５Ａ１とが係合し，上記係止孔１５Ａ２と上記係止突起２５Ａ２とが係合することで，上記ファンケース１０が上記ダクト２０に位置決め固定される。
上記ダクト側面部２３には，上記ファンケース側面部１３の上端に引っ掛けることにより上記ファンケース１０を上記ダクト２０に係止する係止つまみ２２が形成されている。上記ダクト側面部２３は，上記ファンケース１０に上記ダクト２０を係止するためにたわむことが可能な弾性部材である。
上記係止つまみ２２は，上記ダクト側面部２３Ｂ１に形成されている係止つまみ２２Ｂ１，上記ダクト側面部２３Ｂ２に形成されている係止つまみ２２Ｂ２，上記ダクト側面部２３Ｃに形成されている係止つまみ２２Ｃ，上記ダクト側面部２３Ｄに形成されている係止つまみ２２Ｄ１及び２２Ｄ２からなる。
図４に示す組み立て状態において，上記係止つまみ２２Ｂ１及び２２Ｂ２は，上記ファンケース側面部１３Ｂの上端に係止され，上記係止つまみ２２Ｃは，上記ファンケース側面部１３Ｃの上端に係止され，上記係止つまみ２２Ｄ１及び２２Ｄ２は，上記ファン側面部２３Ｄの上端に係止される。これにより，上記ファンケース１０が上記ダクト２０から脱落しなくなる。
【００１６】
図３（ａ）のように，上記ファンケース１０と上記ダクト２０が係合して上記筐体２に組み付けられる。
係合された上記ファンケース１０と上記ダクト２０との間に，クッション材が装着されていないと，上記係止孔１５と上記係止突起２５との寸法公差により，上記ファンケース１０の上記ファン１４が駆動されると，上記ファンケース１０が振動し，上記ファンケース底部１１に対して垂直方向（図３，図４においてＰ１方向），或いはそれに直角の方向のガタツキが生じる。このガタツキは，後記する配線により吸収される。
なお，ここでは，上記ファンケース１０には係止孔１５，上記ダクト２０には係止突起２５が形成されているが，上記ファンケース１０に係止突起，上記ダクト２０に該係止突起と係合する係止孔が形成されてもかまわない。
【００１７】
続いて，上記画像形成装置Ｘ内の配線について説明する。
図３（ａ）は配線前，図３（ｂ）は配線後の断面図である。
上述の様に，現像部Ｚは発熱するため，上記現像部Ｚ近傍の画像形成装置Ｘ本体の側面には，上記のようなファン１４が設置されることが多い。更に，上記現像部Ｚ及び上記ファン１４の下方には上記給紙ローラ３２，上記分離ローラ３３，上記手差し用給紙ローラ３４，上記中間搬送ローラ３５，上記レジストローラ３６が配置されることから，上記給紙ローラ３２及び上記分離ローラ３３を回転させるモータ（上記給紙モータ４６）のクラッチＣ１，上記中間搬送ローラ３５を回転させるモータ（上記給紙モータ４６）のクラッチＣ３，該レジストローラ３６を回転させるモータ（上記給紙モータ４６）のクラッチＣ４が設置されることが多い。一方，上記制御基板１と，上記クラッチＣ１，Ｃ３，Ｃ４，上記ソレノイド３とは，必ず線材Ｓで接続される。これらを有効に活用して，上記制御基板１から上記クラッチＣ１，Ｃ３，Ｃ４，上記ソレノイド３に接続される線材Ｓを，上記ファン１４が収容されるファンケース１０と，上記ファンケース１０と係合して該ファンケース１０を支持するダクト２０との間に形成される間隙に挟み込みクッション材として用いる。
具体的には，図３（ｂ），図４に示すように，上記画像形成装置Ｘの内部に配線される線材の一例である線材Ｓ１は，上記制御基板１から上記ファンケース側面部１３Ａの外側を通り，上記ファンケース側面部１３Ｂの平坦状の面と上記ダクト側面部２３Ｂ１の平坦状の面との間，上記ファンケース側面部１３Ｂの平坦状の面と上記ダクト側面部２３Ｂ２の平坦状の面との間に形成された間隙に挟み込まれることにより固定され，上記クラッチＣ１に接続される。
線材Ｓ２は，上記線材Ｓ１同様，上記制御基板１から上記ファンケース側面部１３Ａの外側を通り，上記ファンケース側面部１３Ｂの平坦状の面と上記ダクト側面部２３Ｂ１の平坦状の面との間，上記ファンケース側面部１３Ｂの平坦状の面と上記ダクト側面部２３Ｂ２の平坦状の面との間に形成された間隙に挟み込まれる。上記線材Ｓ２は，上記線材Ｓ１よりも上記ファンケース底部１１側に挟み込まれることにより固定され，上記ソレノイド３に接続される。
線材Ｓ３及びＳ４は，上記制御基板１から上記ファンケース側面部１３Ｄの平坦状の面と上記ダクト側面部２３Ｄの平坦状の面との間に形成された間隙に挟み込まれることにより固定される。さらに，上記ファンケース側面部１３Ｃの平坦状の面と上記ダクト側面部２３Ｃの平坦状の面との間に形成された間隙に挟み込まれることにより固定され，上記クラッチＣ３及びＣ４に接続される。上記線材Ｓ４は，上記線材Ｓ３よりも上記ファンケース底部１１側に挟み込まれる。
このように，上記線材Ｓは，上記ファンケース１０の上記ファンケース側面部１３の平坦状の面と上記ダクト２０の上記ダクト側面部２３の平坦状の面との間に形成された間隙に挟み込まれることにより固定される。
なお，図３（ｂ），図４において，上記線材Ｓ１，Ｓ２，Ｓ３，Ｓ４は，説明のために，それぞれ１本の線で記載しているが，実際は，２本の線材が１組となって配線されている。
【００１８】
上述の様に，上記ダクト側面部２３は，図４に示す組み付け状態において，上記ファンケース側面部１３と平行に，且つ共に平面部同士対向して接するので，上記線材Ｓを上記ファンケース側面部１３との該ダクト側面部２３との間に挟みこむのに好適である。
すなわち，上記線材Ｓを上記平坦状の面間（上記ファンケース側面部１３と上記ダクト側面部２３との間）に挟み込ませると，線材が線と線との間，点と点との間，或いは角部に挟み込まれる場合に比べて，上記線材Ｓにかかる圧力が分散されることになるので，上記線材が変形，破損する可能性が低い。
上記のように，上記線材Ｓが，上記ファンケース１０と上記ダクト２０の組み付け状態において互いに対向する平坦状の面間に挟みこまれることにより，上記ファンケース側面部１３Ｂの平坦状の面と上記線材Ｓ１及びＳ２，上記ダクト側面部２３Ｂ１の平坦状の面と上記線材Ｓ１及びＳ２，上記ファンケース側面部１３Ｄの平坦状の面と上記線材Ｓ３及びＳ４，上記ダクト側面部２３Ｄの平坦状の面と上記線材Ｓ３及びＳ４とがそれぞれ当接し，線材Ｓの被覆部の弾性機能によりファンケース１０が弾性的に支持される。この弾性機能によって上記ファンケース１０に収容されるファンの振動の伝達が抑制される。そして，上記画像形成装置Ｘ内に設けられた上記ファンケース１０と上記ダクト２０の間の上記ファンケース底部１１に対して垂直方向（図３，図４においてＰ１方向），或いはそれに直角の方向のガタが，上記弾性体である線材Ｓが上記ファンケース１０と上記ダクト２０との間隙に充填されることで解消される。これにより，ガタツキにより生じていた騒音が低減される。
さらに，上記線材Ｓは，上記ファンケース１０と上記ダクト２０との間に形成された間隙に挟み込まれることにより固定されるので，上記線材Ｓを固定するための専用の部材を設ける必要がない。そのため，上記線材Ｓを固定するための専用の部材を新たに設けている従来の配線の固定構造と比べて，安価である。
【００１９】
なお，本実施の形態では，画像形成装置に備えられた配線の固定構造を例に挙げて説明したが，これに限らず，パソコンなどの他の電子機器にも適用可能である。
また，本実施の形態では，ファンケースとダクトに線材を挟み込む配線の固定構造について説明したが，一例であり，振動を伴って駆動される駆動部を該駆動部と係合することにより支持する支持部を備えた電子機器において線材を挟み込む配線の固定構造であれば，この限りではない。
【図面の簡単な説明】
【００２０】
【図１】本発明の実施の形態に係る配線の固定構造が採用された画像形成装置Ｘの斜視図。
【図２】本発明の実施の形態に係る配線の固定構造が採用された画像形成装置Ｘの断面図。
【図３】本発明の実施の形態に係る配線の固定構造が採用された画像形成装置Ｘの本体側面の配線前後の断面図。
【図４】配線後の係合されたダクト２０とファンケース１０との斜視図。
【図５】本発明の実施の形態に係る配線の固定構造が採用された画像形成装置Ｘのダクト２０の斜視図。
【符号の説明】
【００２１】
１…制御基板
２…筐体
３…ソレノイド
１０…ファンケース
１１…ファンケース底部
１２…フランジ部
１３…ファンケース側面部
１４…ファン
１５…係止孔
２０…ダクト
２１…ダクト底部
２３…ダクト側面部
２５…係止突起
３０…給紙カセット
３１…手差しトレイ
３２…給紙ローラ
３３…分離ローラ
３４…手差し用給紙ローラ
３５…中間搬送ローラ
３６…レジストローラ
３７…感光体ドラム
３８…レーザースキャナユニット
３９…現像ローラ
４０…供給ローラ
４１…撹拌ローラ
４２…現像剤補給口
４３…現像剤収容部
４４…搬送ローラ
４５…ドラムモータ
４６…給紙モータ
【図１】
2007193078.tif 000003
【図２】
2007193078.tif 000004
【図３】
2007193078.tif 000005
【図４】
2007193078.tif 000006
【図５】
2007193078.tif 000007